【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
衛星とアクセスする複数のショートメッセージ通信端末の一つであって、前記衛星に中継され、基地局から送信されるフォワードリンク信号を受信する受信部と、直交符号を生成する直交符号発生部と、外部から所定の時間精度を取得する情報取得部と、この情報取得部が取得した時間情報を基準とし、所定の時間精度よりも長い１チップ長から成るチップクロックを生成し、このチップクロックを前記直交符号発生部による直交符号の生成タイミングの基準とする送信タイミング発生部と、前記受信部が受信した前記フォワードリンク信号に応じて、ショートメッセージを含む送信信号を生成する送信信号発生部と、前記直交符号発生部が生成した直交符号により前記送信信号発生部が生成した前記送信信号を拡散してＣＤＭＡ信号を生成するＣＤＭＡ拡散部と、前記ＣＤＭＡ信号を前記衛星へ送信するときに、前記ショートメッセージ通信端末と前記衛星との距離により生じる遅延を補正する遅延処理部と、搬送波を生成する搬送波発生部と、この搬送波発生部が生成した搬送波を用いて、前記遅延処理部による補正後の前記ＣＤＭＡ信号を変調する変調部と、前記変調部により変調された前記ＣＤＭＡ信号をリターンリンク信号として前記衛星に送信する送信部とを有し、前記時間情報から、前記直交符号発生部による直交符号の生成タイミングを前記複数のショートメッセージ通信端末間で同期するものであるショートメッセージ通信端末。
【請求項２】
前記衛星との相対距離の変化から前記ＣＤＭＡ信号のドップラー周波数偏移による周波数のずれを計算するドップラー周波数計算部有し、前記搬送波発生部は、前記ドップラー周波数計算部が計算したドップラー周波数偏移による周波数のずれを搬送波の周波数で補償するものである請求項１に記載のショートメッセージ通信端末。
【請求項３】
前記遅延処理部は、位置情報から前記衛星までの距離を導出し、遅延時間を計算する遅延時間計算部と、この遅延時間計算部が計算した遅延時間から、前記送信信号を補正する遅延補正部とからなる請求項１又は２に記載のショートメッセージ通信端末。
【請求項４】
前記送信信号発生部は、前記送信タイミング発生部が生成したチップクロックを基準としたスロットタイミングで、前記変調部により変調された前記ＣＤＭＡ信号を前記衛星に送信することで、前記スロットタイミングを前記複数のショートメッセージ通信端末間で同期するものである請求項１，２，３のいずれか１項に記載のショートメッセージ通信端末。
【請求項５】
前記送信信号発生部は、前記情報取得部が取得した時間情報を基準とし、所定の時間精度よりも長い１チップ長から成るチップクロックを生成し、このチップクロックを基準としたスロットタイミングで、前記変調部により変調された前記ＣＤＭＡ信号を前記衛星に送信することで、前記スロットタイミングを前記複数のショートメッセージ通信端末間で同期するものである請求項１，２，３のいずれか１項に記載のショートメッセージ通信端末。
【手続補正２】
【補正対象書類名】明細書
【補正対象項目名】発明の名称
【補正方法】変更
【補正の内容】
【発明の名称】ショートメッセージ通信端末
【手続補正３】
【補正対象書類名】明細書
【補正対象項目名】００１２
【補正方法】変更
【補正の内容】
【００１２】
この発明は上記のような問題点を解決するためになされたものであり、複数の端末装置が直交符号によるＣＤＭＡを用いて基地局にアクセスする場合に非静止衛星上で各端末装置から送信されたＣＤＭＡ信号の直交符号が同期したショートメッセージ通信端末を得ることを目的とする。
【手続補正４】
【補正対象書類名】明細書
【補正対象項目名】００１３
【補正方法】削除
【補正の内容】
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】削除
【補正の内容】
【手続補正７】
【補正対象書類名】明細書
【補正対象項目名】００１６
【補正方法】削除
【補正の内容】
【手続補正８】
【補正対象書類名】明細書
【補正対象項目名】００１７
【補正方法】削除
【補正の内容】
【手続補正９】
【補正対象書類名】明細書
【補正対象項目名】００１８
【補正方法】変更
【補正の内容】
【００１８】
請求項１の発明に係るショートメッセージ通信端末は、衛星とアクセスする複数のショートメッセージ通信端末の一つであって、前記衛星に中継され、基地局から送信されるフォワードリンク信号を受信する受信部と、直交符号を生成する直交符号発生部と、外部から所定の時間精度を取得する情報取得部と、この情報取得部が取得した時間情報を基準とし、所定の時間精度よりも長い１チップ長から成るチップクロックを生成し、このチップクロックを前記直交符号発生部による直交符号の生成タイミングの基準とする送信タイミング発生部と、前記受信部が受信した前記フォワードリンク信号に応じて、ショートメッセージを含む送信信号を生成する送信信号発生部と、前記直交符号発生部が生成した直交符号により前記送信信号発生部が生成した前記送信信号を拡散してＣＤＭＡ信号を生成するＣＤＭＡ拡散部と、前記ＣＤＭＡ信号を前記衛星へ送信するときに、前記ショートメッセージ通信端末と前記衛星との距離により生じる遅延を補正する遅延処理部と、搬送波を生成する搬送波発生部と、この搬送波発生部が生成した搬送波を用いて、前記遅延処理部による補正後の前記ＣＤＭＡ信号を変調する変調部と、前記変調部により変調された前記ＣＤＭＡ信号をリターンリンク信号として前記衛星に送信する送信部とを有し、前記時間情報から、前記直交符号発生部による直交符号の生成タイミングを前記複数のショートメッセージ通信端末間で同期するものである。
【手続補正１０】
【補正対象書類名】明細書
【補正対象項目名】００１９
【補正方法】変更
【補正の内容】
【００１９】
請求項２の発明に係るショートメッセージ通信端末は、前記衛星との相対距離の変化から前記ＣＤＭＡ信号のドップラー周波数偏移による周波数のずれを計算するドップラー周波数計算部有し、前記搬送波発生部は、前記ドップラー周波数計算部が計算したドップラー周波数偏移による周波数のずれを搬送波の周波数で補償するものである請求項１に記載のものである。
【手続補正１１】
【補正対象書類名】明細書
【補正対象項目名】００２０
【補正方法】変更
【補正の内容】
【００２０】
請求項３の発明に係るショートメッセージ通信端末は、前記遅延処理部が、位置情報から前記衛星までの距離を導出し、遅延時間を計算する遅延時間計算部と、この遅延時間計算部が計算した遅延時間から、前記送信信号を補正する遅延補正部とからなる請求項１又は２に記載のものである。
【手続補正１２】
【補正対象書類名】明細書
【補正対象項目名】００２１
【補正方法】変更
【補正の内容】
【００２１】
請求項４の発明に係るショートメッセージ通信端末は、前記送信信号発生部が、前記送信タイミング発生部が生成したチップクロックを基準としたスロットタイミングで、前記変調部により変調された前記ＣＤＭＡ信号を前記衛星に送信することで、前記スロットタイミングを前記複数のショートメッセージ通信端末間で同期するものである請求項１，２，３のいずれか１項に記載のものである。
【手続補正１３】
【補正対象書類名】明細書
【補正対象項目名】００２２
【補正方法】変更
【補正の内容】
【００２２】
請求項５の発明に係るショートメッセージ通信端末は、前記送信信号発生部が、前記情報取得部が取得した時間情報を基準とし、所定の時間精度よりも長い１チップ長から成るチップクロックを生成し、このチップクロックを基準としたスロットタイミングで、前記変調部により変調された前記ＣＤＭＡ信号を前記衛星に送信することで、前記スロットタイミングを前記複数のショートメッセージ通信端末間で同期するものである請求項１，２，３のいずれか１項に記載のものである。
【手続補正１４】
【補正対象書類名】明細書
【補正対象項目名】００２３
【補正方法】削除
【補正の内容】
【手続補正１５】
【補正対象書類名】明細書
【補正対象項目名】００２４
【補正方法】変更
【補正の内容】
【００２４】
以上のように、請求項１〜５に係る発明によれば、直交符号によるＣＤＭＡにおいて、符号間の相互相関による干渉の小さい衛星通信アクセス方式が提供できるので、各端末装置から基地局へ送信するＣＤＭＡ信号の品質を向上させることができ、多数の通信端末が同時にアクセスしても符号間の相互相関による干渉を小さくできるので、リターンリンクの通信容量を増大させることができるショートメッセージ通信システムに好適なショートメッセージ通信端末を得ることができる。